(57)【要約】【課題】  簡単な操作で、時刻に関連する種々の情報管理を行うことができる情報管理装置を提供する。【解決手段】  携帯電話機１０の入力手段１５により所定の操作が行われると、携帯電話機１０から、当該所定の操作が行われた時刻を示す操作時刻情報、当該所定の操作を示す操作情報識別情報、送信者を示す送信者識別情報が操作情報管理手段４２ａに送信される。操作情報管理手段４２ａは、携帯電話機１０から送信された操作時刻情報、操作情報識別情報、送信者識別情報を含む操作情報を記憶装置５０の操作情報データベース５０ａに記憶させる。操作情報処理手段４２ｂは、操作情報データベース５０ａに記憶されている操作情報の集計処理を実行する。なお、入力手段１５により所定の操作が行われた時、携帯電話機１０から、当該所定の操作が行われたことを示す操作実行情報を送信し、操作情報管理手段４２ａは、操作実行情報を受信した時刻を操作時刻情報として操作情報データベース５０ａに記憶させることもできる。【選択図】    図１
2005293160.tif 000002
【特許請求の範囲】
【請求項１】
操作情報管理手段と、操作情報処理手段と、記憶手段と、操作情報送信手段を備え、
前記記憶手段は、操作時刻情報を含む操作情報を記憶し、
前記操作情報管理手段は、前記操作情報送信手段から送信された操作時刻情報を受信すると、受信した操作時刻情報を前記記憶手段に操作情報として記憶させ、
前記操作情報処理手段は、前記記憶手段に記憶されている操作情報を集計処理し、
前記操作情報送信手段は、
入力手段と、
前記入力手段により所定の操作が行われると、当該所定の操作が行われた時刻を示す操作時刻情報を前記操作情報管理手段に送信する送信手段を有する、
ことを特徴とする情報管理装置。
【請求項２】
操作情報管理手段と、操作情報処理手段と、記憶手段と、操作情報送信手段を備え、
前記記憶手段は、操作時刻情報を含む操作情報を記憶し、
前記操作情報管理手段は、前記操作情報送信手段から送信された操作実行情報を受信すると、当該操作実行情報を受信した時刻を示す操作時刻情報を前記記憶手段に操作情報として記憶させ、
前記操作情報処理手段は、前記記憶手段に記憶されている操作情報を集計処理し、
前記操作情報送信手段は、
入力手段と、
前記入力手段により所定の操作が行われると、当該所定の操作が行われたことを示す操作実行情報を前記操作情報管理手段に送信する送信手段を有する、
ことを特徴とする情報管理装置。
【請求項３】
請求項１または２に記載の情報管理装置であって、
前記記憶手段には、操作情報識別情報を含む操作情報が記憶され、
前記操作情報管理手段は、前記操作情報送信手段から送信された操作情報識別情報を受信すると、受信した操作情報識別情報を操作時刻情報とともに前記記憶手段に操作情報として記憶させ、
前記送信手段は、前記入力手段により所定の操作が行われると、当該所定の操作を示す操作情報識別情報を前記操作情報管理手段に送信する、
ことを特徴とする情報管理装置。
【請求項４】
請求項１〜３のいずれかに記載の情報管理装置であって、
前記記憶手段には、送信者識別情報を含む操作情報が記憶され、
前記操作情報管理手段は、前記操作情報送信手段から送信された送信者識別情報を受信すると、受信した送信者識別情報を操作時刻情報とともに前記記憶手段に操作情報として記憶させ、
前記送信手段は、前記入力手段により所定の操作が行われると、送信者を示す送信者識別情報を前記操作情報管理手段に送信する、
ことを特徴とする情報管理装置。
【請求項５】
送信情報処理手段と、記憶手段と、送信情報受信手段を備え、
前記記憶手段は、各時刻に対応する送信情報を時刻情報とともに記憶する送信情報データベースを有し、
前記送信情報処理手段は、前記送信情報受信手段から送信された操作時刻情報を受信すると、受信した操作時刻情報で示される時刻に対応する送信情報を前記送信情報データベースから読み出し、読み出した送信情報を前記操作時刻情報を送信した送信情報受信手段に送信し、
前記送信情報受信手段は、
入力手段と、
前記入力手段により所定の操作が行われると、当該所定の操作が行われた時刻を示す操作時刻情報を前記送信情報処理手段に送信する送信手段と、
前記送信情報処理手段から送信された送信情報を受信する受信手段と、
前記受信手段で受信した送信情報を表示する表示手段を有する、
ことを特徴とする情報管理装置。
【請求項６】
送信情報処理手段と、記憶手段と、送信情報受信手段を備え、
前記記憶手段は、各時刻に対応する送信情報を時刻情報とともに記憶する送信情報データベースを有し、
前記送信情報処理手段は、前記送信情報受信手段から送信された操作実行情報を受信すると、当該操作実行情報を受信した時刻に対応する送信情報を前記送信情報データベースから読み出し、読み出した送信情報を前記操作実行情報を送信した送信情報受信手段に送信し、
前記送信情報受信手段は、
入力手段と、
前記入力手段により所定の操作が行われると、当該所定の操作が行われたことを示す操作実行情報を前記送信情報処理手段に送信する送信手段と、
前記送信情報処理手段から送信された送信情報を受信する受信手段と、
前記受信手段で受信した送信情報を表示する表示手段を有する、
ことを特徴とする情報管理装置。
【請求項７】
請求項５または６に記載の情報管理装置であって、
さらに、情報送信手段と、送信情報管理手段を備え、
前記情報送信手段は、各時刻に対応する情報を前記送信情報管理手段に送信し、
前記送信情報管理手段は、前記情報送信手段から送信された各時刻に対応する情報を受信すると、当該受信した情報を前記送信情報データベースに各時刻に対応する送信情報として記憶させる、
ことを特徴とする情報管理装置。
【請求項８】
請求項５または６に記載の情報管理装置であって、
前記送信情報データベースには、各時刻に対応する送信情報が送信情報識別情報に対応させて記憶されており、
前記送信情報管理手段は、前記送信情報受信手段から送信された送信情報識別情報を受信すると、当該受信した送信情報識別情報に対応する送信情報を前記送信情報受信手段に送信し、
前記送信手段は、前記入力手段により所定の操作が行われると、当該所定の操作に対応する送信情報識別情報を前記送信情報処理手段に送信する、
ことを特徴とする情報管理装置。
【請求項９】
請求項８に記載の情報管理装置であって、
さらに、複数の情報送信手段と、送信情報管理手段を備え、
前記各情報送信手段は、各時刻に対応する情報を前記送信情報管理手段に送信し、
前記送信情報管理手段は、前記各情報送信手段から送信された各時刻に対応する情報を受信すると、当該受信した情報を、前記送信情報データベースに各時刻に対応する送信情報として、当該受信した情報を送信した情報送信手段に対応する送信情報識別情報に対応させて記憶させる、
ことを特徴とする情報管理装置。
【発明の詳細な説明】
【技術分野】
【０００１】
本発明は、携帯電話機等の端末装置を用いた情報管理装置に関する。
【背景技術】
【０００２】
携帯電話機の普及に伴い、携帯電話機を用いて種々の情報を管理する情報管理装置が提案されている。（特許文献１参照）
従来の情報管理装置では、携帯電話機は、所定の入力キーを操作することによって管理装置側に所定の情報を送信し、また、管理装置側から送信された情報を受信する。
【特許文献１】特開２００２−７７４３６号公報
【発明の開示】
【発明が解決しようとする課題】
【０００３】
ところで、近年、テレビ番組のどの場面に人気があったか等の情報を携帯電話機を用いて収集できるシステムに対する要望が増えている。
また、携帯電話機の待ち受け画面として、テレビ番組の一場面の画像やスポーツ中継を行っているカメラの一場面の画像を用いることができるシステムに対する要望も増えている。
そこで、本発明者は、種々検討した結果、テレビ番組やスポーツ中継の画像は時刻とともに変化しており、テレビ番組やスポーツ中継の一場面の画像は表示時刻が分かれば特定することが可能であることを見出した。
そこで、本発明が解決しようとする課題は、端末装置の入力手段により所定の操作が行われた時刻を検出する手段を設けることにより、簡単な操作で、時刻に関連する種々の情報管理を行うことができるに情報管理装置を提供することである。
【課題を解決するための手段】
【０００４】
前記課題を解決するための本発明の第1発明は、請求項１に記載されたとおりの情報管理装置である。
請求項1に記載の情報管理装置は、操作時刻情報を含む操作情報を記憶する記憶手段、操作情報送信手段から送信された操作時刻情報を記憶手段に操作情報として記憶させる操作情報管理手段、記憶手段に記憶されている操作情報を集計処理する操作情報処理手段、入力手段と、入力手段により所定の操作が行われた時刻を示す操作時刻情報を送信する送信手段とを有する操作情報送信手段を備えている。
ここで、記憶手段に操作情報を記憶する形態としては、種々の形態を用いることができる。例えば、操作時刻情報を逐次記憶する形態を用いることもできるし、操作時刻情報を受信する毎に、操作時刻情報を集計処理した結果を記憶する形態を用いることもできる。
「操作情報送信手段」としては、少なくとも、所定の操作が可能な入力手段と、所定の操作が行われた時刻を送信可能な送信手段を有していればよく、典型的には、携帯電話機、携帯端末やパソコン等を用いることができる。
「入力手段により所定の操作が行われた」ことは、例えば、所定の入力モードにおいて、予め定められている入力キーが操作されたことあるいは予め定められている組合せで入力キーが操作されたことが対応する。
操作情報処理手段による集計処理方法としては、操作時刻に関する種々の集計処理方法を用いることができる。例えば、操作時刻毎の操作数の累計値を算出する集計処理方法や、操作数の累計値が最大である操作時刻を算出する集計処理方法等を用いることができる。
なお、操作時刻情報を受信する毎に操作情報を集計処理した場合の集計結果は、操作時刻情報を含む操作情報を記憶手段に記憶させ、記憶手段に記憶されている操作情報を集計処理した場合の集計結果と同じである。例えば、操作時刻情報を受信する毎に、操作時刻毎の操作数の累計値を算出した場合の操作時刻毎の累計値は、操作時刻情報を記憶手段に記憶させ、記憶手段に記憶されている操作時刻情報から算出した、操作時刻毎の操作数の累計値と同じである。したがって、「操作時刻情報を受信する毎に操作情報を集計処理し、集計結果を記憶手段に記憶させる」構成は、本発明の、「操作時刻情報を含む操作情報を記憶手段に記憶させ、記憶手段に記憶されている操作情報を集計処理する」構成の概念に含まれる。
また、本発明の第２発明は、請求項２に記載されたとおりの情報管理装置である。
請求項２に記載の情報管理装置は、操作時刻情報を含む操作情報を記憶する記憶手段、操作情報送信手段から送信された操作実行情報を受信した時刻を示す操作時刻情報を記憶手段に操作情報として記憶させる操作情報管理手段、記憶手段に記憶されている操作情報を集計処理する操作情報処理手段、入力手段と、入力手段により所定の操作が行われたことを示す操作実行情報を送信する送信手段とを有する操作情報送信手段を備えている。
本発明では、「操作情報送信手段」としては、少なくとも、所定の操作が可能な入力手段と、所定の操作が行われたことを示す操作実行情報を送信可能な送信手段を有していればよく、典型的には、携帯電話機、携帯端末やパソコン等を用いることができる。
本発明では操作情報管理手段が操作実行情報を受信した時刻を操作時刻情報としているため、入力手段により所定の操作が行われたことを検出した後、短時間で操作実行情報を送信するのが好ましい。
なお、「操作時刻情報を受信する毎に操作情報を集計処理し、集計結果を記憶手段に記憶させる」構成は、本発明の、「操作時刻情報を含む操作情報を記憶手段に記憶させ、記憶手段に記憶されている操作情報を集計処理する」構成の概念に含まれる。
また、本発明の第３発明は、請求項３に記載されたとおりの情報管理装置である。
請求項３に記載の情報管理装置では、記憶手段には、操作情報識別情報を含む操作情報が記憶され、操作情報管理手段は、操作情報送信手段から送信された操作情報識別情報を操作時刻情報とともに記憶手段に操作情報として記憶させ、送信手段は、所定の操作を示す操作情報識別情報を送信する。
本発明では、操作情報処理手段による集計処理方法としては、操作情報識別情報を用いた集計処理方法を用いることができる。例えば、操作情報識別情報毎に集計処理を行うことができる。
また、本発明の第４発明は、請求項４に記載されたとおりの情報管理装置である。
請求項４に記載の情報管理装置では、記憶手段には、送信者識別情報を含む操作情報が記憶され、操作情報管理手段は、操作情報送信手段から送信された送信者識別情報を操作時刻情報とともに記憶手段に操作情報として記憶させ、送信手段は、送信者を示す送信者識別情報を送信する。
本発明では、操作情報処理手段による集計処理方法としては、送信者識別情報を用いた集計処理方法を用いることができる。例えば、送信者識別情報毎に集計処理を行うことができる。
また、本発明の第５発明は、請求項５に記載されたとおりの情報管理装置である。
請求項５に記載の情報管理装置は、各時刻に対応する送信情報を時刻情報とともに記憶する送信情報データベースを有する記憶手段、送信情報受信手段から送信された操作時刻情報で示される時刻に対応する送信情報を送信する送信情報処理手段、入力手段と、入力手段により所定の操作が行われた時刻を示す操作時刻情報を送信する送信手段と、送信情報処理手段から送信された送信情報を受信する受信手段と、受信手段で受信した送信情報を表示する表示手段を有する送信情報受信手段を備えている。
本発明では、「送信情報データベースに記憶される、各時刻に対応する送信情報」としては、動画画像情報等の連続する画像情報を用いてもよいし、所定時間毎の静止画像情報を用いてもよい。
「送信情報受信手段」としては、少なくとも、所定の操作が可能な入力手段と、所定の操作が行われた時刻を送信可能な送信手段と、送信情報を受信可能な受信手段と、受信した送信情報を表示可能な表示手段を有していればよく、典型的には、携帯電話機、携帯端末やパソコン等を用いることができる。
「送信情報処理手段により送信される、操作時刻に対応する送信情報」としては、動画画像情報が記憶されている場合には、操作時刻の動画画像情報（すなわち、静止画画像情報）や操作時刻を含む所定期間の動画画像情報を用いることができ、また、所定期間毎の静止画画像情報が記憶されている場合には、操作時刻に最も近い時刻に対応する静止画画像情報や操作時刻以降の最も近い時刻に対応する静止画画像情報を用いることができる。
また、本発明の第６発明は、請求項６に記載されたとおりの情報管理装置である。
請求項６に記載の情報管理装置は、時刻に対応する送信情報を時刻情報とともに記憶する送信情報データベースを有する記憶手段、送信情報受信手段から送信された操作実行情報を受信した時刻に対応する送信情報を送信情報データベースから読み出し、読み出した送信情報を送信する送信情報処理手段、入力手段と、入力手段により所定の操作が行われたことを示す操作時実行情報を送信する送信手段と、送信情報処理手段から送信された送信情報を受信する受信手段と、受信手段で受信した送信情報を表示する表示手段を有する送信情報受信手段を備えている。
本発明では、「送信情報送信手段」としては、少なくとも、所定の操作が可能な入力手段と、所定の操作が行われたことを示す操作実行情報を送信可能な送信手段と、送信情報を受信可能な受信手段と、受信手段で受信した送信情報を表示可能な表示手段を有していればよく、典型的には、携帯電話機、携帯端末やパソコン等を用いることができる。
本発明では送信情報処理手段で操作実行情報を受信した時刻に対応する送信情報を送信するため、入力手段により所定の操作が行われたことを検出した後、短時間で操作実行情報を送信するのが好ましい。
また、本発明の第７発明は、請求項７に記載されたとおりの情報管理装置である。
請求項７に記載の情報管理装置では、さらに、時刻に対応する情報を送信する情報送信手段と、情報送信手段から送信された時刻に対応する情報を送信情報データベースに各時刻に対応する送信情報として記憶させる送信情報管理手段を備えている。
情報送信手段としては、テレビ画像情報を送信する送信手段や撮像した画像情報を送信するカメラ等を用いることができる。
また、本発明の第８発明は、請求項８に記載されたとおりの情報管理装置である。
請求項８に記載の情報管理装置では、送信情報データベースには、各時刻に対応する送信情報が送信情報識別情報に対応させて記憶されており、送信情報管理手段は、送信情報受信手段から送信された送信情報識別情報に対応する送信情報を送信し、送信手段は、所定の操作に対応する送信情報識別情報を送信する。
ことを特徴とする情報管理装置。
「送信情報識別情報」としては、例えば、テレビ情報を送信しているテレビ局を示す情報（例えば、テレビチャンネル）や撮像した画像情報を送信しているカメラを示す情報（例えば、カメラの番号）を用いることができる。
また、本発明の第９発明は、請求項９に記載されたとおりの情報管理装置である。
請求項９に記載の情報管理装置では、さらに、時刻に対応する情報を送信する複数の情報送信手段と、各情報送信手段から送信された時刻に対応する情報を、送信情報データベースに各時刻に対応する送信情報として、各情報送信手段に対応する送信情報識別情報に対応させて記憶させる送信情報管理手段を備えている。
【発明の効果】
【０００５】
請求項１に記載の情報管理装置を用いれば、操作情報送信手段の入力手段により所定の操作を行うのみで、時刻に関連する情報を管理及び集計することができる。
請求項２に記載の情報管理装置を用いれば、操作情報送信手段の入力手段により所定の操作を行うのみで、時刻に関連する情報を管理及び集計することができる。また、本発明では、操作情報送信手段は操作時刻情報を送信する必要がないため、操作情報送信手段の処理負担が軽減される。
請求項３に記載の情報管理装置を用いれば、操作情報識別情報に基づいて、すなわち、操作対象に基づいて集計処理を行うことができる。
請求項４に記載の情報管理装置を用いれば、送信者識別情報に基づいて、すなわち、送信者に基づいて集計処理を行うことができる。
請求項５に記載の情報管理装置を用いれば、送信情報受信手段の入力手段により所定の操作を行うのみで、時刻に関連する送信情報を受信することができる。
請求項６に記載の情報管理装置を用いれば、送信情報受信手段の入力手段により所定の操作を行うのみで、時刻に関連する送信情報を受信することができる。また、本発明では、送信情報受信手段は操作時刻情報を送信する必要がないため、送信情報受信手段の処理負担が軽減される。
請求項７に記載の情報管理装置を用いれば、情報送信手段から送信されている情報が送信情報データベースに記憶されるため、最新の送信情報を受信することができる。
請求項８に記載の情報管理装置を用いれば、複数の送信情報の中から所望の送信情報を選択することができる。
請求項９に記載の情報管理装置を用いれば、最新の複数の送信情報の中から所望の送信情報を選択することができる。
【発明を実施するための最良の形態】
【０００６】
以下に本発明の実施の形態を図面を参照して説明する。
本発明の第１の実施の形態の概略構成図を図１に示す。本実施の形態は、端末装置の使用者が端末装置の入力手段により所定の操作を行った時刻を示す操作時刻情報を記憶装置から送信し、当該操作時刻情報を集計処理するものである。
図１では、所定の操作を行うための端末装置として、携帯電話機１０とパソコン２０が示されている。
携帯電話機１０は、送受信手段１１、処理手段１２、記憶手段１３、表示手段１４、入力手段１５ｂ等を有している。
送受信手段１１は、携帯電話機１０の通信を管理している通信事業者の基地局３０と通信を行う。
処理手段１２は、入力手段１５により入力された情報や記憶手段１３に記憶されている情報を送受信手段１１を介して送信する処理や、送受信手段１１を介して受信した情報を記憶手段１３に記憶させる処理や表示手段１５に表示させる処理を実行する。
記憶手段１３には、携帯電話機１０の制御プログラム、携帯電話機１０の使用者を示す識別情報（送信者識別情報）、入力手段１５により所定の操作が行われた時刻を示す操作時刻情報が記憶される。送信者識別情報としては、メールアドレスや携帯電話機の機器識別情報や使用者ＩＤ等が用いられる。
表示手段１４には、入力手段１５により入力された情報や送受信手段１１で受信した情報等が表示される。
パソコン２０も、携帯電話機１０と同様の構成である。
【０００７】
また、管理装置４０と記憶装置５０が設けられている。
管理装置４０は、送受信手段４１と処理手段４２を有している。送受信手段４１は、インターネット等の通信回線６０と通信を行う。
処理手段４２は、操作情報管理手段４２ａと操作情報処理手段４２ｂを有している。各手段４２ａと４２ｂは、ハードウェアで構成してもよいし、ソフトウェアで構成してもよい。各手段４２ａと４２ｂをハードウェア（ＣＰＵ）で構成する場合には、各ハードウェアは同じ場所に設けてもよいし、異なる場所に設けてもよい。
記憶装置５０には、操作情報データベース５０ａが設けられている。操作情報データベース５０ａには、携帯電話機１０やパソコン２０等の端末装置の入力手段で所定の操作が行われた時刻を示す操作時刻情報、所定の操作を示す情報（所定の操作によって選択された情報を示す操作情報識別情報）、所定の操作が行われた端末装置を示す識別情報（送信者を示す送信者識別情報）を含む操作情報が記憶されている。
図１では、記憶装置５０ａを管理装置４０に接続しているが、記憶装置５０は、管理装置４０がアクセス可能であればよい。
操作情報管理手段４２ａは、携帯電話機１０やパソコン２０等の入力手段により所定の操作が行われた時刻を示す操作時刻情報を含む操作情報を操作情報データベース５０ａに記憶させる処理を行う。
操作情報処理手段４２ｂは、記憶装置５０に記憶されている操作情報（本実施の形態では記憶装置５０の操作情報データベース５０ａに記憶されている操作情報）を所定の条件で集計処理する。
携帯電話機１０、パソコン２０、管理装置４０は、通信回線６０を介して通信可能である。
【０００８】
次に、操作情報データベース５０ａの１例を図２に示す。
図２に示す操作情報データベース５０ａは、端末装置の使用者の就寝時刻と起床時刻を管理するためのものである。
図２に示す操作情報データベースには、入力手段により所定の操作が行われた端末装置の使用者を示す送信者識別情報（例えば、メールアドレス、識別番号、使用者名等）、所定の操作が行われた時刻を示す操作時刻情報、所定の操作の内容、すなわち、どの情報に関する操作時刻情報であるかを示す操作情報識別情報が記憶されている。
操作情報識別情報は、例えば、携帯電話機１０やパソコン２０の入力手段で操作された入力キーによって、あるいは操作された入力キーの組合せによって判別することができる。例えば、入力手段の入力キー［１］が操作された場合、入力キー[１]によって［就寝情報］に関する操作時刻情報であることを判別し、入力キー［１］が操作された時刻が就寝時刻であることを判別することができる。また、入力手段のキー［２］が操作された場合、入力キー[２]によって［起床情報］に関する操作時刻情報であることを判別することができ、入力キー[２]が操作された時刻が起床時刻であることを判別することができる。
図２に示す操作情報データベースでは、例えば、メールアドレス［ａａａ＠Ａ．ｎｅ．ｊｐ］の使用者[ａ]の［就寝時刻］が、［２００４／０３／０４／１０：３０］であることが記憶されており、また、メールアドレス［ａａａ＠Ａ．ｎｅ．ｊｐ］の使用者[ａ]の［起床時刻］が［２００４／０３／０５／０６：００］であることが記憶されている。
【０００９】
操作情報データベースの他の例を図３に示す。
図３に示す操作情報データベースは、テレビドラマ等における人気場面を管理するためのものである。
図３に示す情報データベースでは、入力手段のキー［０］を操作したことにより操作情報識別情報として［テレビ情報識別情報］が選択され、続けて操作されたキーの組合せ［０１］によって［テレビ局識別情報］が選択されたことを示している。
図３に示す操作情報データベースでは、例えば、メールアドレス［ａａａ＠Ａ．ｎｅ．ｊｐ］の使用者[ａ]は、［０１］で示されるテレビ局（例えば、［０１］チャンネルのテレビ局）のテレビ画像を見ている時に、操作時刻［２００４／０３／０５／１８：３５］に入力手段の時刻入力キー（例えば、[＊]キー）を操作したことが記憶されている。すなわち、使用者[ａ]は、[０１]チャンネルの、時刻［２００４／０３／０５／１８：３５］のテレビ画像が面白かったと感じている。
また、メールアドレス［ｂｂｂ＠Ｂ．ｎｅ．ｊｐ］の使用者[ｂ]は、［１１］で示されるテレビ局（例えば、［１１］チャンネルのテレビ局）のテレビ画像を見ている時に、操作時刻［２００４／０３／０５／１９：１０］に入力手段の時刻入力キーを操作したことが記憶されている。すなわち、使用者[ｂ]は、[１１]チャンネルの、時刻［２００４／０３／０５／１９：１０］のテレビ画像が面白かったと感じている。
【００１０】
本実施の形態では、操作情報管理手段４２ａが本発明の操作情報管理手段に対応し、操作情報処理手段４２ｂが本発明の操作情報処理手段に対応し、記憶装置５０が本発明の記憶手段に対応し、携帯電話機１０やパソコン２０が本発明の操作情報送信手段に対応し、携帯電話機１０の入力手段１５、送受信手段１１が本発明の操作情報送信手段の入力手段、送信手段に対応する。また、操作情報データベース５０ａに記憶されている操作情報が本発明の「記憶手段に記憶されている操作情報」に対応する。
【００１１】
次に、本実施の形態の動作を説明する。
ここで、操作時刻情報を判別する方法としては、例えば、端末装置が、使用者が端末装置の入力手段により所定の操作が行われた時刻を判別し、操作時刻情報として操作情報管理手段に送信する方法と、端末装置は、入力手段で所定の操作が行われたことを示す操作実行情報（操作情報識別情報あるいは送信者識別情報を用いてもよい）を操作情報管理手段４２ａに送信し、操作情報管理手段４２ｂが、操作実行情報を受信した時刻を操作時刻情報として判別する方法等を用いることができる。
本実施の形態では、端末装置から操作時刻情報を操作情報管理手段に送信する方法を用いている。
【００１２】
いま、使用者［ａ］が、就寝時に、例えば、時刻情報入力モードにおいて、自己の携帯電話機１０の入力手段１５のキー［１］を操作すると、携帯電話機１０の処理手段１２は、入力手段１５のキー［１］が操作された時刻［２００４／０３／０４／１０：３０］を判別して記憶手段１３に記憶する。
そして、携帯電話機１０の処理手段１２は、任意の時期に、予め記憶されている操作情報管理手段４２ａのメールアドレス宛に、記憶手段１３に記憶されている、キー［１］が操作されたことを示す操作情報識別情報（就寝情報識別情報）と、キー［１］が操作された操作時刻情報［２００４／０３／０４／１０：３０］、自己のメールアドレス［ａａａ＠Ａ．ｎｅ．ｊｐ］を含むメールを送信する。
操作情報管理手段４２ａは、携帯電話機１０から送信されたメールを受信し、受信したメールに含まれているメールアドレス［ａａａ＠Ａ．ｎｅ．ｊｐ］を送信者識別情報、就寝時刻に関する操作時刻情報であることを示す操作情報識別情報［１］、操作時刻情報［２００４／０３／０５／１０：３０］を操作情報として操作情報データベース５０ａに記憶させる。
また、使用者［ａ］が、起床時に、例えば、時刻情報入力モードにおいて、自己の携帯電話機１０の入力手段１５のキー［２］を操作すると、携帯電話機１０の処理手段１２は、入力手段１５のキー［２］が操作された時刻［２００４／０３／０５／０６：００］を判別して記憶手段１３に記憶する。
そして、前記と同様に、携帯電話機１０の処理手段１２は、操作情報管理手段４２ａのメールアドレス宛に、キー［２］が操作されたことを示す操作情報識別情報（起床情報識別情報）と、キー［２］が操作された操作時刻情報［２００４／０３／０５／０６：００］、自己のメールアドレス［ａａａ＠Ａ．ｎｅ．ｊｐ］を含むメールを送信する。
操作情報管理手段４２ａは、前記と同様に、受信したメールに含まれているメールアドレス［ａａａ＠Ａ．ｎｅ．ｊｐ］を送信者識別情報、起床時刻に関する操作時刻情報であることを示す操作情報識別情報［２］、操作時刻情報［２００４／０３／０５／０６：００］を操作情報として操作情報データベース５０ａに記憶させる。
以上のようにして、図２に示す操作情報データベース５０ａに就寝時刻情報及び起床時刻情報、送信者識別情報、操作情報識別情報を含む操作情報が記憶される。
【００１３】
一方、使用者［ａ］が、テレビ局［０１］（チャンネル［０１］）のテレビ画像をテレビ受像機で見る場合、例えば、自己の携帯電話機１０をテレビ局[０１]の時刻情報入力モードに設定する。そして、面白い画面あるいは興味がある画面で、携帯電話機１０の入力手段１５により所定の操作（例えば、[＊]キーを操作）が行われると、携帯電話機１０の処理手段１２は、入力手段１５により所定の操作が行われた時刻［２００４／０３／０５／１８：３５］と、テレビ情報であることを示す操作情報識別情報（例えば、テレビ情報識別情報[０]）、テレビ局[０１]であることを示す操作情報識別情報（テレビ局識別情報[０１]）を記憶手段１３に記憶する。
そして、携帯電話機１０の処理手段１２は、任意の時期に、予め記憶されている操作情報管理手段４２ａのメールアドレス宛に、記憶手段１３に記憶されている、操作情報識別情報（テレビ情報識別情報[０]、テレビ局識別情報[０１]）、操作時刻情報［２００４／０３／０５／１８：３５］、自己のメールアドレス［ａａａ＠Ａ．ｎｅ．ｊｐ］を含むメールを送信する。
操作情報管理手段４２ａは、携帯電話機１０から送信されたメールを受信し、受信したメールに含まれているメールアドレス［ａａａ＠Ａ．ｎｅ．ｊｐ］を送信者識別情報、操作情報識別情報（テレビ情報識別情報[０]、テレビ局識別情報[０１]）、操作時刻情報［２００４／０３／０５／１８：３５］を操作情報として操作情報データベース５０ａに記憶させる。
同様の方法で、他の使用者のテレビ情報に関連する操作情報が操作情報データベース５０ａに記憶される。
【００１４】
操作情報処理手段４２ｂは、予め定められている時期あるいは集計処理指示信号が入力された時に、操作情報データベースに５０ａに記憶されている操作情報の集計処理を実行する。
例えば、図２に示す操作情報データベースに記憶されている操作情報に基づいて、就寝時刻や起床時刻の集計処理、平均的な就寝時刻や起床時刻の判別処理、睡眠時間（同一使用者の就寝時刻から起床時刻までの期間）の集計処理等を実行する。
また、図３に示す操作情報データベースに記憶されている操作情報に基づいて、テレビ番組の時刻毎のテレビ画面の人気度の集計処理、同じ時間帯におけるテレビ局毎のテレビ番組の人気度の集計処理、送信者毎のテレビ番組の人気度の集計処理等を実行する。
勿論、操作時刻情報のみに基づいて集計処理を行うこともできるし、操作時刻情報、操作情報識別情報、送信者識別情報を適宜組合せて集計処理を実行することもできる。
【００１５】
以上のように、第１の実施の形態では、使用者は端末装置の入力手段により所定の操作を行うのみで、操作時刻情報、送信者識別情報、操作情報識別情報を含む操作情報を操作情報データベースに記憶させることができる。
これにより、操作時刻に基づいた種々の集計処理を容易に実行することができる。
【００１６】
なお、第１の実施の形態では、操作時刻情報、送信者識別情報、操作情報識別情報を含む操作情報を操作情報データベースに記憶させたが、操作情報データベースに記憶させる操作情報としては、少なくとも操作時刻情報が含まれていればよい。この場合、操作情報処理手段操４２ｂは、操作情報に含まれている情報に応じた集計処理を実行する。
また、例えば、操作時刻毎の操作数の累計値を算出する集計処理を行う場合には、操作情報管理手段が操作時刻情報（あるいは、操作情報識別情報や送信者識別情報とともに操作時刻情報）を受信する毎に、操作情報処理手段により、操作時刻毎（あるいは、操作情報識別情報や送信者識別情報に対応する操作時刻毎）の操作数の累計値を算出し、算出した操作時刻毎の操作数の累計値を操作情報データベースに記憶させるように構成することもできる。このように構成した場合の、任意の時点の操作時刻毎の操作数の累計値は、任意の時点までの操作情報を操作情報データベースに記憶させ、操作情報データベースに記憶されている操作情報から算出した、操作時刻毎の操作数の累積値と同じである。したがって、操作時刻情報を受信する毎に操作情報を集計処理し、集計結果を記憶手段（記憶手段の操作情報データベース）に記憶させることは、操作時刻情報を受信すると、操作情報データベースに操作情報を記憶させ、操作情報データベースに記憶されている操作情報を集計処理する方法と同義である。
また、操作時刻情報等を操作情報管理手段に送信する時期は、入力手段により所定の操作が行われた時点を含め適宜設定することができる。
また、携帯電話機１０等の端末装置から操作実行情報を送信し、操作情報管理手段４０ａが、携帯電話機１０等の端末装置から送信された操作実行情報を受信した時刻を操作時刻情報として操作情報データベース５０ａに記憶させる場合には、携帯電話機１０等の入力手段により所定の操作が実行されたことを処理手段が検出してからできるだけ早い時期、好ましくは、入力手段により所定の操作が実行されたことを処理手段が検出した時に操作実行情報を送信する。
【００１７】
第１の実施の形態では、時刻に関連する情報を集計処理する情報射管理装置について説明した。
ところで、携帯電話機の待ち受け画面を自分独自の待ち受け画面を設定できるようにするために、テレビ番組の一場面の画像やスポーツ中継の一場面の画像を受信できるシステムに対する要望が増えている。
ここで、テレビ番組やスポーツ中継の画像は時刻とともに変化するため、テレビ番組やスポーツ中継における任意の一場面の画像は、その画像が表示される時刻が分かれば抽出することができる。
端末装置の入力手段により所定の操作が行われた時刻に基づいて、時刻とともに変化する画像の中から所定の画像を抽出する、本発明の第２の実施の形態を以下に説明する。
【００１８】
本発明の第２の実施の形態の概略構成図を図４に示す。
本実施の形態は、テレビ局から送信されているテレビ画像や任意の場所に配置されているカメラ（撮像している画像をインターネットを介して配信可能なＷｅｂカメラ等）で撮像している画像等の情報を時刻情報とともに記憶させ、端末装置の入力手段により所定の操作が行われた時刻に対応する情報を端末装置に送信するものである。
本実施の形態は、携帯電話機１１０やパソコン１２０等の端末装置、管理装置１４０、記憶装置１５０、テレビ局１７０、カメラ１８０等により構成されている。
携帯電話機１１０は、第１の実施の形態と同様に、送受信手段１１１、処理手段１１２、記憶手段１１３、表示手段１１４、入力手段１１５等を有している。パソコン１２０も、携帯電話機１１０と同様の構成である。
テレビ局１７０は、テレビ放送用のテレビ画像を各家庭に送信しているとともに、管理装置１４０に送信している。テレビ局１７０から管理装置１４０へのテレビ画像の送信は、電波を用いてもよいし、インターネット等の通信回線１６０を用いてもよい。
カメラ１８０は、野球場やサッカー場等の適宜の場所に配設されており、撮像した画像を管理装置１４０に送信している。勿論、カメラ１８０で撮像した画像をテレビ受像機に送信することもできる。
なお、図４では、簡略化のために、テレビ局１７０やカメラ１８０を１つだけ示している。
【００１９】
管理装置１４０は、送受信手段１４１と処理手段１４２を有している。
処理手段１４２は、送信情報管理手段１４２ａと送信情報処理手段１４２ｂを有している。送信情報管理手段１４２ａと送信情報処理手段１４２ｂは、ハードウェで構成してもよいし、ソフトウェアで構成してもよい。また、各手段１４２ａ、１４２ｂをハードウェアで構成する場合、各手段を構成するハードウェアを同じ場所に配設してもよいし、異なる場所に配設してもよい。
記憶装置１５０は、送信情報データベース１５０ａを有している。
送信情報管理手段１４２ａは、テレビ局１７０から送信されたテレビ画像やカメラ１８０から送信された画像を時刻情報とともに送信情報データベースに送信情報として記憶させる。この時、各テレビ局や各カメラの画像を区別するために、送信情報は、各テレビ局や各カメラを識別する識別情報（送信情報識別情報）に対応させて記憶される。
【００２０】
本実施の形態では、送信情報処理手段１４２ｂが本発明の送信情報処理手段に対応し、記憶装置１５０が本発明の記憶手段に対応し、携帯電話機１１０やパソコン１２０等の端末装置が本発明の送信情報受信手段に対応し、携帯電話機１１０の送受信手段１１１が本発明の「送信手段」及び「受信手段」に、テレビ局１７０やカメラ１８０が本発明の情報送信手段に対応し、送信情報管理手段１４２ａが本発明の送信情報管理手段に対応する。
【００２１】
本実施の形態で用いる送信情報データベース１５０ａの１例を図５に示す。
本実施の形態の送信情報データベースは、送信情報を識別する送信情報識別情報と、時刻情報に対応させた送信情報が記憶される。送信情報識別情報としては、例えば、テレビ情報であることを示すテレビ情報識別情報［０］とテレビ局（テレビチャンネル）を示すテレビ局識別情報［０１］等が用いられている。
【００２２】
利用者は、先ず、受信（ダウンロード）を希望する情報を選択する。
例えば、携帯電話機１１０を、本発明のサービスを提供するシステムのＷｅｂサイトにアクセスし、表示手段１１４に、図６に示す［情報種別選択画面］を表示させる。図６に示す［情報種別選択画面］では、テレビの画像やカメラの画像を選択することができる。
図６に示す［情報種別選択画面］で「テレビ画像」が選択されると、例えば、図７に示す［テレビ局選択画面］が表示される。図７に示す［テレビ局選択画面］では、テレビ受像機で受信可能なテレビ局の一覧が表示される。
図７に示す［テレビ局選択画面］で、テレビチャンネル［０１］のテレビ局「ＡＡＡＡ」が選択されると、テレビ局「ＡＡＡＡ」が送信しているテレビ画像から送信情報を抽出するために、図８に示す［送信情報抽出画面］が表示される。
一方、図６に示す［情報種別選択画面］で「カメラ画像」が選択されると、例えば、図９に示す［カメラ選択画面］が表示される。図９に示すカメラ選択画面は、野球場にカメラが設置されている場合のものであり、[０１]番のカメラがバックネット裏に、[０２]番のカメラがセンター側に、[０３]番のカメラが１塁側に、[０４]番のカメラが３塁側に設定されていることを示している。
図９に示す［カメラ選択画面］でカメラが選択されると、例えば、図８と同様の、カメラの画像から送信情報を抽出する［送信情報抽出画面］が表示される。
【００２３】
ここで、図７に示す［テレビ局選択画面］でテレビ局１７０[ＡＡＡＡ]が選択された場合について説明する。
送信情報管理手段１４２ａは、前述したように、テレビ局１７０から送信されているテレビ画像を、当該テレビ局を示す送信情報識別情報（テレビ情報識別情報[０]、テレビ局識別情報[０１]）に対応させて、時刻情報とともに送信情報データベース１５０ａに記憶させる。この時、送信情報データベース１５０ａに記憶させる送信情報は、テレビ画像を連続して記憶させるのが好ましいが、所定時間毎（例えば、１秒毎）のテレビ画像（静止画像）を記憶させてもよい。
一方、利用者は、選択したテレビ局１７０から送信されているテレビ画像をテレビ受像機で確認し、好みの画面が表示された時に、時刻情報を入力する。例えば、図８に示す[送信情報抽出画面］の「ここだ！」の部分を選択する。
携帯電話機１１０の処理手段１１２は、表示手段１１４に図８に示す［送信情報抽出画面］が表示されている状態で、「ここだ！」が選択されることにより、入力手段１１５により所定の操作が行われたことを検出し、「ここだ！」が選択された時刻を操作時刻情報として記憶手段１１３に記憶するとともに、送信情報識別情報（図６の[情報種別選択画面]で選択された「テレビ画像」を示すテレビ情報識別情報[０]、図７の［テレビ局選択画面］で選択されたテレビ局[ＡＡＡＡ]に対応するテレビ局識別情報[０１]）を記憶手段１１３に記憶する。
【００２４】
そして、処理手段１１２は、「ここだ！」が選択された時刻あるいはその後の任意の時刻に、記憶手段１１３に記憶されている操作時刻情報と送信情報識別情報を、送受信手段１１１から送信情報処理手段１４２ｂに送信する。なお、送信情報識別情報（図６の[情報種別選択画面]で選択されたテレビ情報識別情報[０]、図７の［テレビ局選択画面］で選択されたテレビ局識別情報[０１]）が既に送信情報処理手段１４２ｂに送信されている場合には、この時の送信情報識別情報の送信処理は省略してもよい。
送信情報処理手段１４２ｂは、携帯電話機１１０から送信された操作時刻情報と送信情報識別情報を受信すると、送信情報データベース１５０ａに、受信した送信情報識別情報に対応させて記憶されている送信情報（すなわち、テレビ局[０１][ＡＡＡＡ]から送信されたテレビ画像）のなかから、受信した操作時刻情報で示される時刻に対応する送信情報を抽出し、操作時刻情報を送信した携帯電話機１１０に送信する。
携帯電話機１１０の送受信手段１１１で受信された送信情報は、表示手段１１４に表示される。
なお、携帯電話機（端末装置）１１０は、操作時刻情報を送信する代わりに、所定の操作が行われたことを示す操作実行情報を送信し、送信情報処理装置１４２ｂは、携帯電話機１１０から送信された操作実行情報を受信した時刻を操作時刻情報とするように構成することもできる。
【００２５】
以上のように、本実施の形態では、端末装置の入力手段により所定の操作が行われると、当該所定の操作が行われた時刻を示す操作時刻情報と、当該所定の操作を示す識別情報（送信を希望する送信情報の種別を示す送信情報識別情報）を検出し、検出した操作時刻情報と送信情報識別情報に対応する送信情報が端末装置に送信される。
このため、使用者は、自己の端末装置の入力手段により所定の操作を行うのみで、時刻とともに変化する送信情報の中から、所望の送信情報を抽出することができる。
【００２６】
なお、第２の実施の形態では、送信情報データベースに送信情報識別情報に対応させて複数の送信情報を記憶させたが、送信情報データベースには１種類の１送信情報を記憶させてもよい。この場合には、端末装置は、所定の操作が行われた時刻のみを検出すればよい。
また、テレビ局やカメラから送信された情報を常時送信情報データベースに記憶させるようにしているが、送信情報データベースには、固定の送信情報を記憶させることもできる。この場合には、例えば、送信情報データベースに記憶されている送信情報を表示手段に表示させることによって、お気に入りの画面を選択する方法を用いる。
また、管理装置をテレビ局の外部に設けたが、管理装置はテレビ局の内部に設けることもできる。
また、テレビ画像やカメラ画像をテレビ受像機で見ながら携帯電話機等の端末装置を用いて時刻情報を入力する場合について説明したが、端末装置でテレビ画像やカメラ画像を見ながらその端末装置で時刻情報を入力可能に構成してもよい。
また、本実施の形態では、テレビ局から送信している画像やカメラから送信している画像を受信する場合について説明したが、受信する情報はこのような画像に限定されない。
また、課金装置を設けてもよい。例えば、テレビ局から送信された情報を端末装置に送信した回数を累積し、累積回数に対応する料金をテレビ局に支払う方法を用いる。あるいは、俳優が写っている画像を端末装置に送信した回数を累積し、累積回数に対応する料金を当該俳優に支払う方法を用いる。
なお、本発明は、以上の実施の形態に限定されず、種々の変更、追加、削除が可能である。
【図面の簡単な説明】
【００２７】
【図１】本発明の第1の実施の形態の概略構成図である。
【図２】操作情報データベースの1例を示す図である。
【図３】操作情報データベースの他の例を新家図である。
【図４】本発明の第２の実施の形態の概略構成図である。
【図５】送信情報データベースの1例を示す図である。
【図６】送信情報を選択する操作の1例を説明する図である。
【図７】送信情報を選択する操作の1例を説明する図である。
【図８】時刻を入力する操作の1例を説明する図である。
【図９】送信情報を選択する操作の他の例を説明する図である。
【符号の説明】
【００２８】
１０、１１０  携帯電話機
１１、４１、１１１、１４１、  送受信手段
１３、１１３  記憶手段
１４、１１４  表示手段
１５、１１５  入力手段
２０、１２０  パソコン
４０、１４０  管理装置
４１、１４１  送受信手段
４２、１４２  処理手段
４２ａ  操作情報管理手段
４２ｂ  操作情報処理手段
５０、１５０  記憶装置
５０ａ  操作情報データベース
６０  通信回線
１４２ａ  送信情報管理手段
１４２ｂ  送信情報処理手段
１５０ａ  送信情報データベース
１７０  テレビ局
１８０  カメラ
【図１】
2005293160.tif 000003
【図２】
2005293160.tif 000004
【図３】
2005293160.tif 000005
【図４】
2005293160.tif 000006
【図５】
2005293160.tif 000007
【図６】
2005293160.tif 000008
【図７】
2005293160.tif 000009
【図８】
2005293160.tif 000010
【図９】
2005293160.tif 000011